(57)【要約】【課題】  蛸を確実に定着させて保護し、産卵増殖させることができると共に、容易且つ安価に作成できる蛸の産卵用漁礁を提供する。【解決手段】  自然石２に所定深さの横穴３を形成すると共に、横穴３の後部から自然石２の後方に貫通する、横穴３よりも小なる貫通孔４を形成し、且つ、横穴３の前部に蓋体５を設け、蓋体５に蛸の出入りを許容する横穴３よりも小なる出入孔６を形成して、自然石２内に蛸が居住して産卵できる居住部７を形成した蛸の産卵用漁礁１を提供する。【選択図】  図１
2006288381.tif 000002
【特許請求の範囲】
【請求項１】
自然石に所定深さの横穴を形成すると共に、該横穴の後部から自然石の後方に貫通する、該横穴よりも小なる貫通孔を形成し、且つ、該横穴の前部に蓋体を設け、該蓋体に蛸の出入りを許容する該横穴よりも小なる出入孔を形成して、自然石内に蛸が居住して産卵できる居住部を形成したことを特徴とする蛸の産卵用漁礁。
【請求項２】
上記自然石は、下面が平坦となるように平坦化処理がなされていることを特徴とする請求項１記載の蛸の産卵用漁礁。
【請求項３】
上記自然石は、下面に、下方に突設する１又は２以上の支脚が設けられていることを特徴とする請求項１又は２のいずれかに記載の蛸の産卵用漁礁。
【請求項４】
上記出入孔は１又は２以上形成されていることを特徴とする請求項１乃至３のいずれか一に記載の蛸の産卵用漁礁。
【請求項５】
上記貫通孔は１又は２以上形成されていることを特徴とする請求項１乃至４のいずれか一に記載の蛸の産卵用漁礁。
【請求項６】
上記居住部は１つの自然石内に１又は２以上形成されていることを特徴とする請求項１乃至５のいずれか一に記載の蛸の産卵用漁礁。
【請求項７】
上記横穴は円柱状に形成されると共に、上記蓋体は円盤状に形成され、該蓋体に上記出入孔が開穿されていることを特徴とする請求項１乃至６のいずれか一に記載の蛸の産卵用漁礁。
【請求項８】
上記横穴は円柱状に形成されると共に、上記蓋体は円盤状に形成され、該蓋体に上記出入孔が偏心して開穿されていることを特徴とする請求項７記載の蛸の産卵用漁礁。
【請求項９】
上記出入孔に連通して該出入孔よりも小なる小孔が１又は２以上開穿されていることを特徴とする請求項８記載の蛸の産卵用漁礁。
【請求項１０】
上記蓋体は、１又は２以上の自然石であり、該自然石を上記横穴の前部に載置或いは固着して、該自然石と該横穴との隙間に上記出入孔を形成することを特徴とする請求項１乃至６のいずれか一に記載の蛸の産卵用漁礁。
【請求項１１】
請求項１乃至１０のいずれか一に記載の蛸の産卵用漁礁を２個以上固着して成ることを特徴とする蛸の産卵用漁礁。
【請求項１２】
上記自然石にチェーンを貫通させるためのチェーン用貫通孔を開穿し、且つ、該チェーン用貫通孔の内周面に、該チェーン用貫通孔の全長に及んで延びる２つの溝を対向させて形成し、一方、前記チェーン用貫通孔内に貫通させるチェーンは、環状ブロックが交互に直交して結合され、１つおきのブロックの外周部に前記２つの溝内に嵌入させる２つの突起を対称的に形成し、前記チェーン用貫通孔に該チェーンを貫通させて、該チェーンにより前記自然石を保持すると共に、該突起を前記溝内に夫々嵌入させて、該チェーンと該自然石との相対的な回転を規制することを特徴とする請求項１乃至１１のいずれか一に記載の蛸の産卵用漁礁。
【請求項１３】
上記自然石にチェーンを貫通させるためのチェーン用貫通孔を開穿し、且つ、該チェーン用貫通孔の内周面に、該チェーン用貫通孔の全長に及んで延びる４つの溝を等間隔に離間させて形成し、一方、前記チェーン用貫通孔内に貫通させるチェーンは、環状ブロックが交互に直交して結合され、夫々のブロックの外周部に前記溝内に嵌入させる２つの突起を対称的に形成し、前記チェーン用貫通孔に該チェーンを貫通させて、該チェーンにより前記自然石を保持すると共に、該突起を前記４つの溝内に夫々嵌入させて、該チェーンと該自然石との相対的な回転を規制することを特徴とする請求項１乃至１１のいずれか一に記載の蛸の産卵用漁礁。
【請求項１４】
上記チェーン用貫通孔の全長に及んで形成される上記溝に代えて、該チェーン用貫通孔の途中まで延びる所定長さの溝を形成し、一方、上記チェーンに形成される突起も、該所定長さの溝に対応させて、該チェーンの所定長さの範囲に形成し、前記チェーン用貫通孔に該チェーンを貫通させたとき、該突起が該溝の最奥部に当接して、該チェーンの一方向の摺動が規制されるように構成されて成ることを特徴とする請求項１２又は１３のいずれかに記載の蛸の産卵用漁礁。
【発明の詳細な説明】
【技術分野】
【０００１】
本発明は、蛸の産卵用漁礁に関し、特に、蛸を確実に定着させて保護し、産卵増殖させることができると共に、容易且つ安価に作成できる蛸の産卵用漁礁に関する。
【背景技術】
【０００２】
蛸の一般的特徴を説明すると、蛸は大潮時には岩や穴等に良く入り、小潮時にはあまり入らない性質を有している。又、産卵期に岩や穴等に良く入り、産卵後はあまり入らないという性質がある。更に、壺等には比較的新しい間は良く入るが、古くなると入らない性質がある。
【０００３】
従って、壺漁などは壺を良く掃除をする必要がある。又、風波の激しいところでは壺が動揺するため蛸は壺の中にあまり入らない。
【０００４】
又、蛸には、真蛸、水蛸、飯蛸等の種類があり、真蛸は、全長６０ｃｍ前後で、沿岸の砂礫底や岩礁域に生息する。夜行性で昼間は岩棚や転石の下に潜り込んでいる。
【０００５】
繁殖期以外の時期には縄張りを作る。人工魚礁にもよく集まり、魚礁の陰や周辺の凹みに隠れている。交接、産卵期は春から秋で、産卵水温は１５℃以上である。
【０００６】
産卵から孵化までは、１カ月から１カ月半かかり、この間、雌は産卵床に付着した卵に海水を吹きかけて新鮮な酸素を供給したり、付着したゴミや砂粒を掃除したりする。稚子が孵化するまでは親蛸は巣を離れず摂餌もしない。
【０００７】
又、水蛸は、たこ類の中では世界最大の種で全長３ｍ、体重２０ｋｇに達する。
夜行性であるが、夏期は昼間にも活発に行動する。しかし、冬期に水温が下がると、活動は鈍くなり、餌もあまり獲らない。交接期は晩秋から春で、北海道では１１〜１２月が盛漁期である。生息場所は真蛸とほぼ同様である。
【０００８】
更に、飯蛸は、全長３０ｃｍ程度で、沿岸、内湾の砂泥底などに生息する。海底の貝殻や空き瓶などに住み着いて、内側などに卵を生み付ける。
【０００９】
そして、前述した蛸の生息状況に適応させるべく、蛸の産卵用漁礁として、例えば、一方に所要数の通水孔を形成し、他方に蛸用の出入口を形成した素焼きのセラミック製筒体等が蛸用漁礁として用いられ、このセラミック製筒体は直接海底に設置される。
【００１０】
又、例えば、特許文献１にタコ用漁礁ブロックが記載されている。このタコ用漁礁ブロックは、中央に縦貫通孔を有する六角柱平盤形の本体と、本体から１２０度の均等間隔で３方向３側面に形成した張出し部と、張出し部の下面部分は高く、本体の下面部分は段差をつけて低く形成した脚部とが一体に形成されたコンクリート製ブロックであって、一方には前記縦貫通孔と通ずる所要数の通水孔を有し、他方には前記張出し部に開口するタコ用の出入口を有するセラミック製の筒体が３本１２０度の均等間隔で内接されている。
【特許文献１】特開平７−２５０５８７号公報
【発明の開示】
【発明が解決しようとする課題】
【００１１】
前述した、素焼きのセラミック製筒体から成るタコ用漁礁ブロックは、（イ）筒体であるため設置安定性が悪く、転倒する虞があり、転倒すると筒体内に新鮮な海水が流れない虞がある。（ロ）出入口が海底に近くなるため、比較的小さな岩等で塞がれてしまう。（ハ）出入口が一方向にしかないため、蛸の入孔の機会が少ない。（ニ）数本の筒体を隣接して設置した場合、蛸の縄張りが重なることにより複数の蛸が定着しにくい。（ホ）筒体と海底との間に飼料生物の生息する隙間がない。（ヘ）卵から稚仔になった時、出入口から外敵に襲われる危険がある。等の問題点がある。
【００１２】
又、特許文献１に記載のタコ用漁礁ブロックは、（イ）設置安定性に優れ、タコを良好に定着させることができる。（ロ）ブロックの隙間に飼料生物を繁殖させることができる。（ハ）稚仔を外敵から守ることができる。（ニ）海底を有効に利用して筒体を効率良く配置することができる。等の利点があり、タコを確実に保護増殖させることができる。
【００１３】
然しながら、特許文献１に記載のタコ用漁礁ブロックは、製作に時間と手間を要すると共に、製造コストがかかるという問題がある。
【００１４】
以上の現状に鑑み、本発明は、蛸を確実に定着させて保護し、産卵増殖させることができると共に、容易且つ安価に作成できる蛸の産卵用漁礁を提供することを目的とする。
【課題を解決するための手段】
【００１５】
上記の課題を解決すべく、本発明は以下の構成を提供する。
請求項１に係る発明は、自然石に所定深さの横穴を形成すると共に、該横穴の後部から自然石の後方に貫通する、該横穴よりも小なる貫通孔を形成し、且つ、該横穴の前部に蓋体を設け、該蓋体に蛸の出入りを許容する該横穴よりも小なる出入孔を形成して、自然石内に蛸が居住して産卵できる居住部を形成したことを特徴とする蛸の産卵用漁礁を提供するものである。
【００１６】
請求項２に係る発明は、上記自然石は、下面が平坦となるように平坦化処理がなされていることを特徴とする請求項１記載の蛸の産卵用漁礁を提供するものである。
【００１７】
請求項３に係る発明は、上記自然石は、下面に、下方に突設する１又は２以上の支脚が設けられていることを特徴とする請求項１又は２のいずれかに記載の蛸の産卵用漁礁を提供するものである。
【００１８】
請求項４に係る発明は、上記出入孔は１又は２以上形成されていることを特徴とする請求項１乃至３のいずれか一に記載の蛸の産卵用漁礁を提供するものである。
【００１９】
請求項５に係る発明は、上記貫通孔は１又は２以上形成されていることを特徴とする請求項１乃至４のいずれか一に記載の蛸の産卵用漁礁を提供するものである。
【００２０】
請求項６に係る発明は、上記居住部は１つの自然石内に１又は２以上形成されていることを特徴とする請求項１乃至５のいずれか一に記載の蛸の産卵用漁礁を提供するものである。
【００２１】
請求項７に係る発明は、上記横穴は円柱状に形成されると共に、上記蓋体は円盤状に形成され、該蓋体に上記出入孔が開穿されていることを特徴とする請求項１乃至６のいずれか一に記載の蛸の産卵用漁礁を提供するものである。
【００２２】
請求項８に係る発明は、上記横穴は円柱状に形成されると共に、上記蓋体は円盤状に形成され、該蓋体に上記出入孔が偏心して開穿されていることを特徴とする請求項７記載の蛸の産卵用漁礁を提供するものである。
【００２３】
請求項９に係る発明は、上記出入孔に連通して該出入孔よりも小なる小孔が１又は２以上開穿されていることを特徴とする請求項８記載の蛸の産卵用漁礁を提供するものである。
【００２４】
請求項１０に係る発明は、上記蓋体は、１又は２以上の自然石であり、該自然石を上記横穴の前部に載置或いは固着して、該自然石と該横穴との隙間に上記出入孔を形成することを特徴とする請求項１乃至６のいずれか一に記載の蛸の産卵用漁礁を提供するものである。
【００２５】
請求項１１に係る発明は、請求項１乃至１０のいずれか一に記載の蛸の産卵用漁礁を２個以上固着して成ることを特徴とする蛸の産卵用漁礁を提供するものである。
【００２６】
請求項１２に係る発明は、上記自然石にチェーンを貫通させるためのチェーン用貫通孔を開穿し、且つ、該チェーン用貫通孔の内周面に、該チェーン用貫通孔の全長に及んで延びる２つの溝を対向させて形成し、一方、前記チェーン用貫通孔内に貫通させるチェーンは、環状ブロックが交互に直交して結合され、１つおきのブロックの外周部に前記２つの溝内に嵌入させる２つの突起を対称的に形成し、前記チェーン用貫通孔に該チェーンを貫通させて、該チェーンにより前記自然石を保持すると共に、該突起を前記溝内に夫々嵌入させて、該チェーンと該自然石との相対的な回転を規制することを特徴とする請求項１乃至１１のいずれか一に記載の蛸の産卵用漁礁を提供するものである。
【００２７】
請求項１３に係る発明は、上記自然石にチェーンを貫通させるためのチェーン用貫通孔を開穿し、且つ、該チェーン用貫通孔の内周面に、該チェーン用貫通孔の全長に及んで延びる４つの溝を等間隔に離間させて形成し、一方、前記チェーン用貫通孔内に貫通させるチェーンは、環状ブロックが交互に直交して結合され、夫々のブロックの外周部に前記溝内に嵌入させる２つの突起を対称的に形成し、前記チェーン用貫通孔に該チェーンを貫通させて、該チェーンにより前記自然石を保持すると共に、該突起を前記４つの溝内に夫々嵌入させて、該チェーンと該自然石との相対的な回転を規制することを特徴とする請求項１乃至１１のいずれか一に記載の蛸の産卵用漁礁を提供するものである。
【００２８】
請求項１４に係る発明は、上記チェーン用貫通孔の全長に及んで形成される上記溝に代えて、該チェーン用貫通孔の途中まで延びる所定長さの溝を形成し、一方、上記チェーンに形成される突起も、該所定長さの溝に対応させて、該チェーンの所定長さの範囲に形成し、前記チェーン用貫通孔に該チェーンを貫通させたとき、該突起が該溝の最奥部に当接して、該チェーンの一方向の摺動が規制されるように構成されて成ることを特徴とする請求項１２又は１３のいずれかに記載の蛸の産卵用漁礁を提供するものである。
【発明の効果】
【００２９】
本発明の請求項１記載の発明によれば、自然石に所定深さの横穴を形成すると共に、該横穴の後部から自然石の後方に貫通する、該横穴よりも小なる貫通孔を形成し、且つ、該横穴の前部に蓋体を設け、該蓋体に蛸の出入りを許容する該横穴よりも小なる出入孔を形成して、自然石内に蛸が居住して産卵できる居住部を形成した蛸の産卵用漁礁を提供するので、蛸を確実に定着させて保護し、産卵増殖させることができると共に、容易且つ安価に作成できる蛸の産卵用漁礁を提供できる。
【００３０】
請求項２記載の発明によれば、上記自然石は、下面が平坦となるように平坦化処理がなされているので、請求項１記載の発明の効果に加え、自然石の設置安定性が良好になる。
【００３１】
請求項３記載の発明によれば、上記自然石は、下面に、下方に突設する１又は２以上の支脚が設けられているので、請求項１又は２のいずれかに記載の発明の効果に加え、支脚によって形成される自然石と海底との間に蛸の飼料生物が生息する隙間を形成することができる。
【００３２】
請求項４記載の発明によれば、上記出入孔は１又は２以上形成されているので、請求項１乃至３のいずれか一に記載の発明の効果に加え、蛸の出入の機会を増やすことができる。
【００３３】
請求項５記載の発明によれば、上記貫通孔は１又は２以上形成されているので、請求項１乃至４のいずれか一に記載の発明の効果に加え、貫通孔によって新鮮な海水を流出入させることができる。
【００３４】
請求項６記載の発明によれば、上記居住部は１つの自然石内に１又は２以上形成されているので、請求項１乃至５のいずれか一に記載の発明の効果に加え、多数の蛸の産卵場所を提供することができる。
【００３５】
請求項７記載の発明によれば、上記横穴は円柱状に形成されると共に、上記蓋体は円盤状に形成され、該蓋体に上記出入孔が開穿されているので、請求項１乃至６のいずれか一に記載の発明の効果に加え、蓋体を容易且つ安価に製作できると共に、蓋体の横穴への取り付けも容易である。
【００３６】
請求項８記載の発明によれば、上記横穴は円柱状に形成されると共に、上記蓋体は円盤状に形成され、該蓋体に上記出入孔が偏心して開穿されているので、請求項７記載の発明の効果に加え、蛸が身を隠し易くなり、蛸の定着率が向上する。
【００３７】
請求項９記載の発明によれば、上記出入孔に連通して該出入孔よりも小なる小孔が１又は２以上開穿されているので、請求項８記載の発明の効果に加え、蛸の脚が小孔から出入りし易くなる。
【００３８】
請求項１０記載の発明によれば、上記蓋体は、１又は２以上の自然石であり、該自然石を上記横穴の前部に載置或いは固着して、該自然石と該横穴との隙間に上記出入孔を形成するので、請求項１乃至６のいずれか一に記載の発明の効果に加え、出入孔を容易且つ安価に形成できる。
【００３９】
請求項１１記載の発明によれば、請求項１乃至１０のいずれか一に記載の蛸の産卵用漁礁を２個以上固着して成る蛸の産卵用漁礁を提供するので、作業性が良く、且つ、沈設した時の設置安定性が高い蛸の産卵用漁礁を得ることができる。
【００４０】
請求項１２記載の発明によれば、上記自然石にチェーンを貫通させるためのチェーン用貫通孔を開穿し、且つ、該チェーン用貫通孔の内周面に、該チェーン用貫通孔の全長に及んで延びる２つの溝を対向させて形成し、一方、前記チェーン用貫通孔内に貫通させるチェーンは、環状ブロックが交互に直交して結合され、１つおきのブロックの外周部に前記２つの溝内に嵌入させる２つの突起を対称的に形成し、前記チェーン用貫通孔に該チェーンを貫通させて、該チェーンにより前記自然石を保持すると共に、該突起を前記溝内に夫々嵌入させて、該チェーンと該自然石との相対的な回転を規制するので、請求項１乃至１１のいずれか一に記載の発明の効果に加え、チェーンにより自然石が保持されると共に、２つの溝内に夫々突起が嵌入することによりチェーンと自然石との相対的な回転が規制され、自然石の損壊、磨耗を防止することができる。又、チェーンと自然石とが擦れあうことがなくなり、電触の発生によるチェーンの腐食を防止することができる。
【００４１】
請求項１３記載の発明によれば、上記自然石にチェーンを貫通させるためのチェーン用貫通孔を開穿し、且つ、該チェーン用貫通孔の内周面に、該チェーン用貫通孔の全長に及んで延びる４つの溝を等間隔に離間させて形成し、一方、前記チェーン用貫通孔内に貫通させるチェーンは、環状ブロックが交互に直交して結合され、夫々のブロックの外周部に前記溝内に嵌入させる２つの突起を対称的に形成し、前記チェーン用貫通孔に該チェーンを貫通させて、該チェーンにより前記自然石を保持すると共に、該突起を前記４つの溝内に夫々嵌入させて、該チェーンと該自然石との相対的な回転を規制するので、請求項１２記載の発明の効果に加え、４つの溝内に夫々突起が嵌入することによりチェーンと自然石との相対的な回転が更に規制され、自然石の損壊、磨耗、及び、電触の発生によるチェーンの腐食を効果的に防止することができる。
【００４２】
請求項１４記載の発明によれば、上記チェーン用貫通孔の全長に及んで形成される上記溝に代えて、該チェーン用貫通孔の途中まで延びる所定長さの溝を形成し、一方、上記チェーンに形成される突起も、該所定長さの溝に対応させて、該チェーンの所定長さの範囲に形成し、前記チェーン用貫通孔に該チェーンを貫通させたとき、該突起が該溝の最奥部に当接して、該チェーンの一方向の摺動が規制されるように構成されて成るので、請求項１２又は１３のいずれかに記載の発明の効果に加え、自然石とチェーンとの互いの摺動を一方向に於いて規制でき、これによって自然石の損壊、磨耗、及び、電触の発生によるチェーンの腐食を効果的に防止することができる。
【発明を実施するための最良の形態】
【００４３】
以下、実施例を示した図面を参照しつつ本発明の実施の形態を説明する。
図１に於いて、１は蛸の産卵用漁礁であり、産卵用漁礁１は、自然石２の所定高さ位置に、所定深さの横穴３を形成すると共に、横穴３の後部から自然石２の後方に貫通する、横穴３よりも小なる貫通孔４を形成し、且つ、横穴３の前部に蓋体５を設け、蓋体５に蛸の出入りを許容する横穴３よりも小なる出入孔６を形成して、自然石２内に蛸が居住して産卵できる居住部７を形成したものである。
【００４４】
そして、前記横穴３は円柱状に形成されると共に、蓋体５は円盤状に形成され、且つ、円盤状の蓋体５に前記出入孔６が偏心して開穿されている。蓋体５は接着剤等を用いて横穴３の前部に固着される。
【００４５】
而して、蛸は、前記出入孔６から出入して横穴３内に居住し、横穴３内に産卵することができる。横穴３内には、出入孔６及び貫通孔４から新鮮な海水が流出入する。
【００４６】
斯くして、前記産卵用漁礁１は、比較的設置安定性も良く、横穴３内に新鮮な海水を流出入させることができ、蛸を前記居住部７に居住させ、確実に定着させて保護し、産卵増殖させることができる。又、蛸の稚仔が横穴３内に隠れることもできる。更に、前記産卵用漁礁１は、自然石２に横穴３及び貫通孔４を形成するものであるため、容易且つ安価に作成できる。
【００４７】
又、前記蓋体５は円盤状に形成され、蓋体５に前記出入孔６が開穿されているため、蓋体５を容易且つ安価に製作できると共に、横穴３への取り付けも容易である。更に、蓋体５に出入孔６が偏心して開穿されているので、蛸が隠れやすくなり、蛸の定着率が向上する。
【００４８】
図２に於いて、８は他の蛸の産卵用漁礁を示し、産卵用漁礁８は、前記産卵用漁礁（図１に於いて１）に形成された１個の貫通孔４に代えて３個の貫通孔４，４…を形成したものである。これら３個の貫通孔４，４…によって、新鮮な海水が更に流出入し易くなる。
又、貫通孔４の大きさを小さくして個数を増やすことにより外敵の侵入を防止することも可能である。尚、貫通孔４は１個又は３個に限定されるものではなく、１又は２以上任意に設けることが可能である。
【００４９】
図３に於いて、１１は他の蛸の産卵用漁礁を示し、産卵用漁礁１１は、前記産卵用漁礁（図１に於いて１）の自然石（図１に於いて２）に代えて、下面が平坦となるように平坦化処理がなされている自然石１２を用いるものである。
【００５０】
産卵用漁礁１１は自然石１２の下面を平坦化処理しているので、海底に設置した場合の設置安定性が更に良好となり、産卵用漁礁１１の移動、転倒等を防止することができる。
【００５１】
図４に於いて、１３は更に他の蛸の産卵用漁礁を示し、産卵用漁礁１３は、前記産卵用漁礁（図３に於いて１１）の自然石１２の下面に、下方に突設する１又は２以上の支脚１４，１４…を設けたものである。支脚１４は好ましくは３又は４個設けることが望ましい。
【００５２】
産卵用漁礁１３は自然石１２の下面に、下方に突設する１又は２以上の支脚１４，１４…を設けたものであるので、支脚１４，１４…によって自然石１２と海底１５との間に蛸の飼料生物が生息できる隙間Ｓを形成することができる。
【００５３】
図５（ａ）及び（ｂ）に於いて、２１は前記産卵用漁礁（図１に於いて１）の蓋体（図１に於いて５）に代えて用いられる蓋体であり、蓋体２１は、円盤状に形成され、円盤状の蓋体２１の略中央部に蓋体２１と同心円状に出入孔２２を開穿したものである。蓋体２１は、簡素な形状であり、製作も容易であることから安価に提供できると共に、横穴３への取り付けも容易である。
【００５４】
図５（ｃ）及び（ｄ）に於いて、２３は前記産卵用漁礁（図１に於いて１）の蓋体（図１に於いて５）に代えて用いられる蓋体であり、蓋体２３は、円盤状に形成され、蓋体２３に出入孔２４が偏心して開穿され、更に、出入孔２４に連通して出入孔２４よりも小なる小孔２５，２５…が１又は２以上開穿されている。図５（ｃ）に於いては、３個の小孔２５，２５…が開穿されている。
【００５５】
前記蓋体２３は、小孔２５，２５…が開穿されていることにより、蛸の脚が小孔２５，２５…から出入りし易くなる。又、蓋体２３は横穴３への取り付けも容易である。
【００５６】
図６に於いて、３１は前記産卵用漁礁（図１に於いて１）の１つの居住部（図１に於いて７）に代えて２つの前記居住部７，７が形成された産卵用漁礁である。
【００５７】
産卵用漁礁３１は、居住部７，７が２つ形成されたことにより、蛸が居住して産卵する場所を増加させることが可能になる。尚、居住部７が形成される自然石３２の大きさによって更に３つ以上の居住部７，７…を形成することも可能であり、然る時は、多数の蛸を定着させ、産卵場所を更に増やすことができる。
【００５８】
図７に於いて、４１は前記産卵用漁礁（図１に於いて１）の居住部（図１に於いて７）に代えて、２匹以上の蛸が居住できる居住部４２が形成される産卵用漁礁であり、居住部４２は、自然石４３に比較的大きめの所定深さの横穴４４を形成すると共に、横穴４４の後部から自然石４３の後方に貫通する、横穴４４よりも小なる２つの貫通孔４５，４５を形成し、且つ、横穴４４の前部に蓋体４６を設け、蓋体４６に蛸の出入りを許容する横穴４４よりも小なる２つの出入孔４７，４７を形成するものである。
【００５９】
前述した比較的大きめの所定深さの横穴４４によって、２匹以上の蛸が居住できると共に、前記２つの出入孔４７，４７によって、蛸の横穴４４への出入の機会を増やすことができる。尚、前記出入孔４７は２つ設けたが、３つ以上設けて更に蛸の横穴４４への出入の機会を増やすことも可能であり、又、前記貫通孔４５を３つ以上設けて横穴４４内への新鮮な海水の流出入を促進することも可能である。
【００６０】
図８に於いて、５１は前記産卵用漁礁（図４に於いて１３）の蓋体（図４に於いて５）に代えて用いられる蓋体であり、蓋体５１は、２個の自然石５２，５２から成り、２個の自然石５２，５２を横穴３の前部に載置或いは固着して、２個の自然石５２，５２と横穴３との隙間に出入孔５３を形成するものである。
【００６１】
前記蓋体５１は、２個の自然石５２，５２を自然のまま、或いは、小さく砕いて用いるものであるため、出入孔５３を容易且つ安価に形成できる。尚、前記蓋体５１として２個の自然石５２，５２を用いたが、１個又は、３個以上でも良く、その数は任意に選択できる。尚、蓋体５１は、前記産卵用漁礁８，１１，３１にも適用可能であり、同様の効果が期待できる。
【００６２】
又、前記蓋体２１及び２３は、前記産卵用漁礁８，１１，１３，３１にも適用可能であり、蓋体２３の出入口２４及び小孔２５の形状を産卵用漁礁４１の出入孔４７に適用することも可能である。
【００６３】
図９に於いて、６１は４個の前記産卵用漁礁１，１…をワイヤ６２で結束して固着させた産卵用漁礁であり、産卵用漁礁６１は、作業用に、各産卵用漁礁１，１…の上面に吊り上げ金具６３，６３…が夫々固着され、吊り上げ金具６３，６３…にワイヤロープ６４，６４…を係止してフック６５で吊下できるように構成されている。（尚、前記産卵用漁礁１，８，１１，１３，３１，４１，５１に於いても作業用に吊り上げ金具６３が固着されても良い。）
【００６４】
この場合、前記産卵用漁礁１の出入口６は蛸が自由に出入りできるように、好適には外側に位置するように設置される。
【００６５】
この産卵用漁礁６１は、同時に複数個の単体産卵用漁礁１，１…を一括操作できるため、作業性が良く、且つ、沈設した時の設置安定性が高いという利点がある。
【００６６】
尚、前記産卵用漁礁６１は産卵用漁礁１，１…を４個結束して固着したが、４個に限定されず、複数の産卵用漁礁１，１…を結束して固着することが可能である。但し、作業性の点から、２〜４個を結束して固着することが好適である。そして、然る時も、同様の効果が期待できる。
【００６７】
又、前記ワイヤ６２に代えてチェーンを用いても良く、或いは、その他の結束用品、又は、結着用品を用いることも可能であり、然る時も同様の効果が期待できる。
【００６８】
更に、前記産卵用漁礁６１は前記産卵用漁礁１，１…を固着したが、前述した他の産卵用漁礁８，１１，１３，３１，４１，５１を固着して構成しても良い。そして、然る時も、同様の効果が期待できる。
【００６９】
更に又、前記産卵用漁礁１，１…は略直方体のブロックで示したが、形状が不揃いのブロックでも良く、特に、形状が不揃いのブロックの場合にブロック間の隙間が空き、潮抜きも良好である等の利点がある。
【００７０】
図１０に於いて、７１は前記産卵用漁礁１をチェーン７２で保持した蛸の産卵用漁礁であり、産卵用漁礁７１は、図１０及び図１１に示す如く、自然石２にチェーン７２を貫通させるためのチェーン用貫通孔７３を開穿し、且つ、チェーン用貫通孔７３の内周面に、チェーン用貫通孔７３の全長に及んで延びる２つの溝７４，７４を対向させて形成し、一方、前記チェーン用貫通孔７３内に貫通させるチェーン７２は、環状のブロック７５，７５…が交互に直交して結合され、１つおきのブロック７５の外周部に前記２つの溝７４，７４内に嵌入させる２つの突起７６，７６を対向させて形成したものである。
【００７１】
そして、前記溝７４は、好適には、Ｖ形溝に形成され、前記突起７６はＶ形溝に嵌入し易いようにくさび形に形成されている。
【００７２】
而して、前記チェーン用貫通孔７３にチェーン７２を貫通させて、チェーン７２により前記自然石２を保持すると共に、前記２つの溝７４，７４内に夫々突起７６，７６を嵌入させることによりチェーン７２と自然石２の相対的な回転を規制する。尚、図１０（ａ）に於いて、７７はコモンリンク、７８はシャックルである。
【００７３】
斯くして、前記産卵用漁礁７１は、チェーン７２により自然石２が保持されると共に、２つの溝７４，７４内に夫々突起７６，７６が嵌入することによりチェーン７２と自然石２との相対的な回転が規制され、自然石２の損壊、磨耗を防止することができる。又、チェーン７２と自然石２とが擦れあうことがなくなり、電触の発生によるチェーン７２の腐食を防止することができる。
【００７４】
尚、前記産卵用漁礁７１は、前記産卵用漁礁１をチェーン７２で保持したものであるが、産卵用漁礁１に代えて、他の産卵用漁礁８，１１，１３，３１，４１，６１を用いて同様の構成とすることも可能であり、然る時も同様の効果が期待できる。
【００７５】
又、前記溝７４は、前述したように好適にはＶ形溝に形成されるが、断面コ字形、Ｕ字形、半円形等の他の任意の溝形状に形成することも可能であり、然る時も略同様の効果が期待できる。
【００７６】
図１２に於いて、８１は前記産卵用漁礁１をチェーン８２で保持した産卵用漁礁であり、産卵用漁礁８１は、図１２及び図１３に示す如く、自然石２にチェーン８２を貫通させるためのチェーン用貫通孔８３を開穿し、且つ、チェーン用貫通孔８３の内周面に、チェーン用貫通孔８３の全長に及んで延びる４つの溝８４，８４…を等間隔に離間させて形成し、一方、前記チェーン用貫通孔８３内に貫通させるチェーン８２は、環状のブロック８５，８５…が交互に直交して結合され、夫々のブロック８５，８５…の外周部に前記溝８４，８４…内に嵌入させる２つの突起８６，８６を対称的に形成したものである。
【００７７】
そして、前記溝８４は、好適には、Ｖ形溝に形成され、前記突起８６はＶ形溝に嵌入し易いようにくさび形に形成されている。
【００７８】
而して、前記チェーン用貫通孔８３にチェーン８２を貫通させて、チェーン８２により前記自然石２を保持すると共に、突起８６，８６…を前記４つの溝８４，８４…内に夫々嵌入させて、チェーン８２と自然石２との相対的な回転を規制する。
【００７９】
斯くして、前記産卵用漁礁８１は、チェーン８２により自然石２が保持されると共に、４つの溝８４，８４…内に夫々突起８６，８６…が嵌入することによりチェーン８２と自然石２との相対的な回転が更に規制され、自然石２の損壊、磨耗を効果的に防止することができる。又、チェーン８２と自然石２とが擦れあうことがなくなり、電触の発生によるチェーン８２の腐食も効果的に防止することができる。
【００８０】
尚、前記産卵用漁礁８１は、前記産卵用漁礁１をチェーン８２で保持したものであるが、産卵用漁礁１に代えて、他の産卵用漁礁８，１１，１３，３１，４１，６１を用いて同様の構成とすることも可能であり、然る時も同様の効果が期待できる。
【００８１】
又、前記産卵用漁礁８１は、チェーン用貫通孔８３の全長に及んで延びる４つの溝８４，８４…を等間隔に離間させて形成したが、該溝８４は、２個、又は、４個に限定されるものではなく、１、３、５、６、７、８個等、任意の個数に設定することができ、然る時も同様な効果が期待できる。
【００８２】
図１４（ａ）に於いて、９１は前記産卵用漁礁（図１０に於いて７１）のチェーン用貫通孔７３の全長に及んで形成される前記溝（図１０に於いて７４，７４）に代えて、チェーン用貫通孔７３の途中まで（好適には中央部まで）延びる所定長さの溝９２，９２を形成し、一方、前記チェーン７２に形成される突起７６も、所定長さの溝９２に対応させて、チェーン７２の所定長さの範囲に形成される産卵用漁礁である。
【００８３】
而して、前記チェーン用貫通孔７３にチェーン７２を貫通させたとき、突起７６，７６…が溝９２，９２の最奥部９２ａ，９２ａに当接して、チェーン７２の一方向の摺動が規制される。
【００８４】
斯くして、前記産卵用漁礁９１は、自然石２とチェーン７２との互いの摺動を一方向に於いて規制でき、これによって自然石２の損壊、磨耗、及び、電触の発生によるチェーンの腐食を効果的に防止することができる。
【００８５】
図１４（ｂ）に於いて、１０１は前記産卵用漁礁｛図１４（ａ）に於いて９１｝において、居住部｛図１４（ａ）に於いて７｝を形成しない構造物である。
【００８６】
構造物１０１は、居住部を形成しないため、産卵用漁礁としての利用はそれほど期待できないが、前記産卵用漁礁９１と同様の構成について、同様の効果が期待でき、又、複数の構造物１０１，１０１…を配設する構成とすれば一般の漁礁として利用することができる。
【００８７】
更に、前記構造物１０１は、定置網等のアンカー等、漁具としても利用できる。従来、定置網等のアンカーとして、砂や、小石等を詰めたビニール袋等が用いられていたが、このビニール袋等は、特に、古くなると環境汚染の原因となり、又、海に生息する生物に被害を与えていた。近年、「知床」が世界自然遺産に登録される等、環境汚染、環境破壊に対する関心も高まり、又、規制も厳しくなってきている。
【００８８】
前記構造物１０１は自然石２を用い、ビニール袋等を用いないため、環境汚染、環境破壊を招くことなく、自然環境を守ることができるという利点があり、定置網等のアンカー等、漁具として好適に用いることができる。
【００８９】
尚、図示は省略するが、前記産卵用漁礁８１についても、前記産卵用漁礁９１、又は、構造物１０１と同様に、チェーン用貫通孔８３の全長に及んで形成される溝８４に代えて、チェーン用貫通孔８３の途中まで延びる所定長さの溝を形成し、一方、チェーン８２に形成される突起８６も、所定長さの溝に対応させて、チェーン８２の所定長さの範囲に形成することができ、又、居住部７を形成しないようにすることもできる。これによって形成される産卵用漁礁、又は、構造物も、前記産卵用漁礁９１、又は、構造物１０１と同様の構成について同様の効果が期待できる。
【図面の簡単な説明】
【００９０】
【図１】（ａ）本発明による蛸の産卵用漁礁の正面図である。（ｂ）前図（ａ）の蛸の産卵用漁礁の側面縦断面図である。（ｃ）前図（ａ）の蓋体の正面図である。（ｄ）前図（ｃ）の蓋体の側面縦断面図である。
【図２】（ａ）本発明による３つの貫通孔を形成した蛸の産卵用漁礁の正面図である。（ｂ）前図（ａ）の蛸の産卵用漁礁の側面縦断面図である。
【図３】（ａ）本発明による自然石の下面が平坦化処理された蛸の産卵用漁礁の正面図である。（ｂ）前図（ａ）の蛸の産卵用漁礁の側面縦断面図である。
【図４】（ａ）本発明による自然石の下面に支脚を設けた蛸の産卵用漁礁の正面図である。（ｂ）前図（ａ）の蛸の産卵用漁礁の側面縦断面図である。
【図５】（ａ）本発明による他の蓋体の正面図である。（ｂ）前図（ａ）の蓋体の側面縦断面図である。（ｃ）本発明による更に他の蓋体の正面図である。（ｄ）前図（ｃ）の蓋体の側面縦断面図である。
【図６】（ａ）本発明による２つの居住部を備えた蛸の産卵用漁礁の平面断面図である。（ｂ）前図（ａ）の正面図である。
【図７】（ａ）本発明による２つの出入孔を備えた蛸の産卵用漁礁の平面断面図である。（ｂ）前図（ａ）の蛸の産卵用漁礁の正面図である。
【図８】（ａ）本発明による蓋体に自然石を用いた蛸の産卵用漁礁の正面図である。（ｂ）前図（ａ）の蛸の産卵用漁礁の側面縦断面図である。
【図９】本発明による複数の産卵用漁礁を結着した蛸の産卵用漁礁の斜視図である。
【図１０】（ａ）本発明によるチェーン用貫通孔に２つの溝を形成した蛸の産卵用漁礁の一部切欠平面図である。（ｂ）前図（ａ）の蛸の産卵用漁礁の側面図である。
【図１１】（ａ）本発明による２つの溝を形成したチェーン用貫通孔の拡大正面図である。（ｂ）本発明による２つの溝を形成したチェーン用貫通孔に貫通させるチェーンの一部切欠正面図である。（ｃ）本発明による２つの溝を形成したチェーン用貫通孔に貫通させるチェーンの側面図である。（ｄ）本発明による２つの溝を形成したチェーン用貫通孔にチェーンを貫通させ、溝に突起を嵌入させた状態を示す正面図である。
【図１２】（ａ）本発明によるチェーン用貫通孔に４つの溝を形成した蛸の産卵用漁礁の側面図である。
【図１３】（ａ）本発明による４つの溝を形成したチェーン用貫通孔の拡大正面図である。（ｂ）本発明による４つの溝を形成したチェーン用貫通孔に貫通させるチェーンの一部切欠正面図である。（ｃ）本発明による４つの溝を形成したチェーン用貫通孔に貫通させるチェーンの側面図である。（ｄ）本発明による４つの溝を形成したチェーン用貫通孔にチェーンを貫通させ、溝に突起を嵌入させた状態を示す正面図である。
【図１４】（ａ）本発明によるチェーン用貫通孔にチェーン用貫通孔の途中まで延びる所定長さの２つの溝を形成した蛸の産卵用漁礁の一部切欠平面図である。（ｂ）本発明によるチェーン用貫通孔にチェーン用貫通孔の途中まで延びる所定長さの２つの溝を形成した構造物の一部切欠平面図である。
【符号の説明】
【００９１】
１，８，１１，１３，３１，４１，５１，６１，７１，８１，９１  産卵用漁礁
２，１２，３２，４３，５２  自然石
３，４４  横穴
４，４５  貫通孔
５，２１，２３，４６  蓋体
６，２２，２４，４７，５３  出入孔
７，４２  居住部
１４  支脚
２５  小孔
７２，８２  チェーン
７３，８３  チェーン用貫通孔
７４，８４，９２  溝
７５，８５  ブロック
７６，８６  突起
９２ａ  最奥部
【図１】
2006288381.tif 000003
【図２】
2006288381.tif 000004
【図３】
2006288381.tif 000005
【図４】
2006288381.tif 000006
【図５】
2006288381.tif 000007
【図６】
2006288381.tif 000008
【図７】
2006288381.tif 000009
【図８】
2006288381.tif 000010
【図９】
2006288381.tif 000011
【図１０】
2006288381.tif 000012
【図１１】
2006288381.tif 000013
【図１２】
2006288381.tif 000014
【図１３】
2006288381.tif 000015
【図１４】
2006288381.tif 000016